(57)【要約】【課題】物品を運搬しつつ他の機器やＩＣカード等から情報を取得する作業を簡便に行い得る搬送用什器を提供する。【解決手段】キャスタ１１が取り付けられて移動が可能であり天板４が設けられた什器本体０と、前記什器本体０に支持されるとともに非接触ＩＣカードリーダ８を保持しこれを外方に向けた姿勢で前記天板４の外縁の近傍に位置づけるリーダ支持体６とを具備する搬送用什器を構成した。【選択図】図１
2018007722.tif 000002
【特許請求の範囲】
【請求項１】
キャスタが取り付けられて移動が可能であり天板が設けられた什器本体と、
前記什器本体に支持されるとともに非接触ＩＣカードリーダを保持しこれを外方に向けた姿勢で前記天板の外縁の近傍に位置づけるリーダ支持体と
を具備する搬送用什器。
【請求項２】
平面視において前記リーダ支持体により保持された非接触ＩＣカードリーダの外面が前記什器本体の外方端と略面一または当該外方端よりも内方にある請求項１記載の搬送用什器。
【請求項３】
前記リーダ支持体が、非接触ＩＣカードリーダを保持するための保持部と、前記什器本体における天板と天板の外縁に沿って伸びるステーとの間隙に挿入されてステーに掛け止められる掛止部とを備えている請求項１または２記載の搬送用什器。
【請求項４】
前記リーダ支持体が、非接触ＩＣカードリーダを保持するための保持部と、非接触ＩＣカードリーダの背面と保持部との間に介在して両者の間に所定寸法の距離を形成するスペーサとを備えている請求項１、２または３記載の搬送用什器。
【請求項５】
病院または診療所で使用されるナースカートであって、
非接触ＩＣカードリーダが病院または診療所において患者の身体に関するデータを取得する機器と交信し当該機器からデータを読み出すためのものである請求項１、２、３または４記載の搬送用什器。
【発明の詳細な説明】
【技術分野】
【０００１】
本発明は、物品の運搬に用いられる搬送用什器に関し、特に、病院や診療所で使用されるナースカート（ナーシングカート）に関する。
【背景技術】
【０００２】
病院や診療所において、電子カルテ用の情報処理端末（ラップトップ型パーソナルコンピュータやタブレット型コンピュータ等）、レントゲンフィルムその他の資料、薬剤、器具類の収納及び運搬の用途に供されているナースカートが公知である（例えば、下記非特許文献１を参照）。
【０００３】
この種のナースカートは、キャスタを取り付けて床面上を移動可能とした脚ベースに支柱を立設し、その支柱の中間部に棚やトレーを支持させるとともに、支柱の上端部に天板を配設した構造を備えていることが通例である。ナースカートの使用者である看護師や介護士等は、棚やトレーを利用して必要な物品を収納するとともに、天板上に情報処理端末を載置して、病院や診療所内の各所に移動しながら業務を遂行する。
【０００４】
病院や診療所における日々の重要な業務の一つとして、患者の体温、血圧、心拍数、呼吸数、血糖値、経皮的動脈血酸素飽和度、体重、体脂肪率、患者の歩数等といった、患者の身体に関するデータの測定及び記録が挙げられる。従来は、看護師や介護士等が、測定した患者のデータを自らの手で電子カルテ用の情報処理端末に入力していた。だが、このような手入力は、手間であり時間を要するだけでなく、ヒューマンエラー即ちデータの誤入力や未入力を招くことにもつながる。
【０００５】
そこで、近時、患者の身体に関するデータを測定する機器に非接触ＩＣカード（または、ＲＦＩＤ（Ｒａｄｉｏ  Ｆｒｅｑｕｅｎｃｙ  ＩＤｅｎｔｉｆｉｃａｔｉｏｎ））チップを実装しておき、ＩＣカードリーダにより当該機器からデータを読み出してそのデータを直接情報処理端末に入力することが試みられている（例えば、下記非特許文献２を参照）。
【先行技術文献】
【非特許文献】
【０００６】
【非特許文献１】“医療施設用家具＜スタッフステーション＞”，コクヨ総合カタログ２０１６年版ファニチャー編，コクヨ株式会社，平成２７年１２月，ｐ．８０８−８０９
【非特許文献２】“ＨＲジョイント（登録商標）”、［ｏｎｌｉｎｅ］、テルモ株式会社、［平成２８年６月１０日検索］、インターネット＜ＵＲＬ：https://www.terumo.co.jp/medical/equipment/me303.html＞
【発明の概要】
【発明が解決しようとする課題】
【０００７】
本発明は、物品を運搬しつつ他の機器やＩＣカード等から情報を取得する作業を簡便に行い得る搬送用什器を提供しようとするものである。
【課題を解決するための手段】
【０００８】
本発明では、キャスタが取り付けられて移動が可能であり天板が設けられた什器本体と、前記什器本体に支持されるとともに非接触ＩＣカードリーダを保持しこれを外方に向けた姿勢で前記天板の外縁の近傍に位置づけるリーダ支持体とを具備する搬送用什器を構成した。
【０００９】
その上で、平面視において前記リーダ支持体により保持された非接触ＩＣカードリーダの外面が前記什器本体の外方端と略面一または当該外方端よりも内方にあれば、ＩＣカードリーダが他の什器や物品、機器等と衝突することが有効に回避される。
【００１０】
前記リーダ支持体が、非接触ＩＣカードリーダを保持するための保持部と、前記什器本体における天板と天板の外縁に沿って伸びるステーとの間隙に挿入されてステーに掛け止められる掛止部とを備えていれば、什器本体に対してリーダ支持体及びＩＣカードリーダが脱着可能となる。
【００１１】
前記リーダ支持体が、非接触ＩＣカードリーダを保持するための保持部と、非接触ＩＣカードリーダの背面と保持部との間に介在して両者の間に所定寸法の距離を形成するスペーサとを備えていれば、ＩＣカードリーダから放射される電磁波の乱反射に起因したデータ読み取りエラーを低減または防止できる。
【００１２】
本発明に係る搬送用什器は、特に、病院または診療所でナースカートとして好適に使用することができる。天板の外縁の近傍に配置された非接触ＩＣカードリーダは、病院または診療所において、患者の身体に関するデータを取得する機器と交信して当該機器からデータを読み出すために機能する。
【発明の効果】
【００１３】
本発明によれば、物品を運搬しつつ他の機器やＩＣカード等から情報を取得する作業を簡便に行い得る搬送用什器を実現できる。
【図面の簡単な説明】
【００１４】
【図１】本発明の一実施形態の搬送用什器を示す斜視図。
【図２】同実施形態の搬送用什器の側面図。
【図３】同実施形態の搬送用什器の平面図。
【図４】同実施形態の搬送用什器に取り付けるリーダ支持体を示す分解斜視図。
【図５】同実施形態の搬送用什器のＶ−Ｖ線縦断面図。
【発明を実施するための形態】
【００１５】
本発明の一実施形態を、図面を参照して説明する。図１ないし図３に示すように、本実施形態における搬送用什器たるナースカートは、キャスタ１１が取り付けられて移動が可能であり天板４が設けられた什器本体０と、什器本体０に支持されるとともに非接触ＩＣカードリーダ（または、リーダ／ライタ）８を保持しこれを外方に向けた姿勢で天板４の外縁の近傍に位置づけるリーダ支持体６とを具備する。
【００１６】
什器本体０は、脚ベース１と、脚ベース１上に設立された支柱２と、支柱２の上端部に設けられた支持構造体３と、支持構造体３の上に配された天板４と、天板４の一端側に沿って天板４から離間した状態に設けられたハンドル５とを主たる構成要素とする。キャスタ１１は、脚ベース１の下面側に複数個取り付けられている。
【００１７】
支柱２は、上下方向に伸縮可能なテレスコピック構造をなしており、その伸縮を通じて支持構造体３、天板４及びハンドル５の高さ位置を調節することが可能である。支柱２には、各種物品を収納または載置することのできるトレー２１や棚板等を複数段取り付けることができる。そのトレー２１または棚板等の高さ位置は、使用者が任意に変更できる。
【００１８】
支持構造体３は、天板４及び収納棚７１、７２、７３を支持する構造体である。支持構造体３は、支柱２の上端に溶接等により剛結される横架材（図示せず）と、この横架材の両側端に溶接等により剛結されるステー３２と、ステー３２に固定される天板受け３３とを備える。
【００１９】
横架材は、金属例えばスチール製の板金素材を折曲加工して作製される、左右方向に拡張するチャネル状の部材である。横架材は、収納棚７１、７２、７３の一部を支持して固定するためにも利用される。
【００２０】
ステー３２は、天板４の使用端側即ち使用者からみて手前側にある前縁及び左右両側縁に沿うように平面視略コ字型に延びる。このステー３２は金属製、例えばスチールの円柱（または、円筒）パイプ材を平面視略コ字型に曲げたものである。ステー３２の前部は、左右方向に沿って伸長する。ステー３２の左右両側部は、前後方向に沿って互いに平行に伸長し、その各々が横架材の左右の側端部にそれぞれ溶接等される。
【００２１】
天板受け３３は、上下方向に所定寸法伸長した例えば樹脂一体成形品である。天板受け３３の下端部には、内側方に向けて開口し、ステー３２をくわえ込むことのできるような嵌合部３３１を形成している。嵌合部３３１の上下方向に沿った内寸は、ステー３２の外形に略等しい。また、天板受け３３の下端部における外側方を向いた側面に、物品を引っ掛けておくことのできるフック３４を設けている。フック３４は、天板受け３３の外側面から外側方に突出している。このフック３４はバンパーを兼ねており、その外側面は天板４の外縁即ち左右の側縁よりも外側方に位置して什器本体０の外方端となる。
【００２２】
本実施形態にあって、天板受け３３は、ステー３２の左右の両側部にそれぞれ二個ずつ、前後方向に沿って所定距離離間させて配置されている。つまり、天板受け３３は、計四個存在し、それぞれが天板の四隅を下方から支持する。
【００２３】
図１に示しているように、天板４は、ラップトップ型パーソナルコンピュータやタブレット型コンピュータ等の情報処理端末９１を載置または設置でき、かつその情報処理端末９１を使用した作業を支障なく遂行できる程度の面積を有した、平面視略長方形状の平板な部材である。天板４は、例えば、木製の芯材の上面にメラミン樹脂板等の化粧板を貼付し、かつこれら芯材及び化粧板の周縁を端縁材で囲繞してなる。この天板４は、ナースカートの最上部に所在する。
【００２４】
天板受け３３と天板４とは、例えばボルトを用いて締結する。なお、そのボルトが、ステー３２を貫通して当該ステー３２を天板受け３３に固定する手段を兼ねていることがある。
【００２５】
本実施形態では、支柱２の上端に固定した横架材にステー３２を固定し、そのステー３２に複数の天板受け３３を固定し、かつそれら複数の天板受け３３に天板４を下方から支持させる。つまり、支柱２が、横架材、ステー３２及び天板受け３３を介して間接的に天板４を支持することになる。
【００２６】
前後方向に延伸するステー３２の左右両側部は、天板４の左右の側縁よりも内側方に位置する。だが、天板受け３３の存在により、ステー３２の左右両側部と天板４の下面との間には、使用者の手を挿入し得る程度の隙間が生じる。故に、ステー３２の側部を使用者が側方から把持することが可能であり、ナースカートを移動させる際にこれをハンドル５代わりに利用できる。
【００２７】
また、天板受け３３がステー３２と天板４との間に介在することにより、天板４の直下に所定寸法の空間が形成される。本実施形態のナースカートは、この天板４の直下の空間領域に、複数の収納棚７１、７２、７３を備えている。
【００２８】
機器収容棚７１は、天板４上に載置した情報処理端末９１に電力を供給する電源装置（バッテリ、ＡＣ／ＤＣアダプタ等）その他必要な機器を設置するための棚である。この機器収容棚７１は、天板４の反使用端寄りに配され、反使用端側即ち什器本体０の後方に開放している。
【００２９】
ファイル棚７２は、使用者が業務において使用するファイル、ノート、書類等の薄型の物品を収納するための棚である。このファイル棚７２は、天板４の使用端寄りに配されることで、使用端側即ち什器本体０の前方に開放している。
【００３０】
投げ込み棚７３は、使用者が業務において使用する筆記具その他の小形の物品、小物類を投げ込むようにして収納するための棚である。投げ込み棚７３は、天板４の使用端寄り、かつファイル棚７２の下方に配されることで、前方に開放している。
【００３１】
ハンドル５は、ステー３２の左右両側部を相互に連結するように左右方向に伸長する前部を利用して構成され、支持構造体３に支持されている。ハンドル５は、天板４の使用端側即ち什器本体０の前方において、天板４の外縁（使用端縁及び使用端に近い側縁の一部分）に沿って設けられ、かつ天板４の上面及び下面よりも下方に偏倚した高さ位置に配されている。このハンドル５は、天板４の使用端縁よりも前方に張り出しており、ハンドル５と天板４の使用端縁との間には隙間が介在していて、使用者がこれを使用端側から容易に把持することができるようになっている。
【００３２】
本実施形態のナースカートは、その什器本体０に、情報処理端末９１と通信可能に接続する非接触ＩＣカードリーダ８を取り付けることができる。非接触ＩＣカードリーダ８は、ＲＦＩＤタグまたはチップが実装されたＩＣカードや機器９２類と交信し、当該ＩＣカードまたは機器９２類が記憶保持しているデータを読み出すことができる。とりわけ、ナースカートが供用される病院または診療所において、患者の身体に関するデータを取得する機器９２、例えば電子体温計、電子血圧計、血糖値測定器、パルスオキシメータ（非侵襲で脈拍数と経皮的動脈血酸素飽和度を測定する）、体組成計（体重、体脂肪率、基礎代謝量、筋肉量、水分量等を測定する）、歩数計等から、対象の患者の体温、血圧、血糖値、脈拍数、動脈血酸素飽和度、体重、体脂肪率、あるいは患者の歩数等といったデータを読み出して、情報処理端末９１に入力する機能を提供する。非接触ＩＣカードリーダ８は、ＵＳＢ（Ｕｎｉｖｅｒｓａｌ  Ｓｅｒｉａｌ  Ｂｕｓ）に代表される有線インタフェースを介して情報処理端末９１に接続することもあれば、Ｂｌｕｅｔｏｏｔｈ（登録商標）に代表される無線通信デバイスを介して情報処理端末９１に接続することもある。
【００３３】
図４及び図５に示すように、什器本体０に非接触ＩＣカードリーダ８を取り付けるためのリーダ支持体６は、金属製のホルダ６１と、非金属製のスペーサ６２とを構成要素とする。ホルダ６１は、非接触ＩＣカードリーダ８をスペーサ６２とともに保持する保持部６１１と、什器本体０における天板４とステー３２との間隙に挿入されてステー３２に掛け止められる掛止部６１２とを備えている。
【００３４】
ホルダ６１は、例えばスチールの板金材を折曲成形して作製される。詳述すると、保持部６１１は、底壁６１１ａと、底壁６１１ａの前後両端から起立する端壁６１１ｂと、底壁６１１ａの内方端から起立する背壁６１１ｃとが、上方及び外側方に開放する収容空間を囲うものであり、その収容空間内に非接触ＩＣカードリーダ８及びスペーサ６２を収容して保持する。底壁６１１ａの外方端は、上方に屈曲している。また、前後の端壁６１１ｂの外方端は、互いに相寄るように前方または後方に屈曲している。それら屈曲片６１１ｄは、収容空間の外側方の境界に所在し、収容空間内に収容した非接触ＩＣカードリーダ８及びホルダ６１が什器本体０の外側方に脱落することを抑止する。
【００３５】
端壁６１１ｂには、これを貫通するスロット孔６１１ｅを形成している。スロット孔６１１ｅは、情報処理端末９１と非接触ＩＣカードリーダ８とを有線で接続する場合に、その接続に用いる通信ケーブルや当該ケーブルのコネクタを通過させるために存在する。
【００３６】
背壁６１１ｃは、収容空間内に収容された非接触ＩＣカードリーダ８の背面８２、即ちデータを読み取らせる際にＩＣカードまたは機器９２を近接ないし当接させる外面（タッチ面、カード読み取り面、かざし面）８１とは反対側の面と対向する。背壁６１１ｃには、大径の孔６１１ｆをくり抜いて開設している。この大孔６１１ｆは、非接触ＩＣカードリーダ８が放射する電磁波の反射によりデータの読み取りに支障を来すことを予防するためのものである。
【００３７】
掛止部６１２は、背壁６１１ｃの前後両側から屈曲し内側方に突き出して延びている。掛止部６１２は、前後方向に沿って離間して対をなす。掛止部６１２の下縁６１２ａは、什器本体０のステー３２に上方から係合するべく、ステー３２の外周面の形状に沿うように切り欠いてある。掛止部６１２の上縁６１２ｂと下縁６１２ａとの上下方向に沿った距離は、什器本体０の天板４の下面とステー３２との間の距離に略等しい。
【００３８】
スペーサ６２は、例えば合成樹脂製の一体成形品である。本実施形態では、上下一対のスペーサ６２により、非接触ＩＣカードリーダ８を挟持するようにしている。各スペーサ６２はそれぞれ、チャネル状の断面形状をなし前後方向に沿って延伸する受枠６２１と、その受枠６２１の内側方の壁面から内方に突出した複数本のリブ６２２とを有している。
【００３９】
什器本体０に非接触ＩＣカードリーダ８を取り付けるにあたっては、まず、非接触ＩＣカードリーダ８の上端部及び下端部を、上下のスペーサ６２の受枠６２１にそれぞれはめ込む。その状態で、非接触カードリーダ８及びスペーサ６２をホルダ６１の収容空間内に収容することで、これら非接触カードリーダ８及びスペーサ６２をホルダ６１に保持させる。その際、非接触ＩＣカードリーダ８の外面８１をホルダ６１の背壁６１１ｃから離反する外側方に向け、非接触ＩＣカードリーダ８の背面８２をホルダ６１の背壁６１１ｃに臨む内側方に向ける。
【００４０】
図５に示しているように、非接触カードリーダ８及びスペーサ６２をホルダ６１の収容空間内に収容すると、非接触ＩＣカードリーダ８を挟持するスペーサ６２の受枠６２１の外側方の壁面が、ホルダ６１の保持部６１１の屈曲片６１１ｄに当接する。同時に、スペーサ６２の受枠６２１の内側方の壁面から突出するリブ６２２が、ホルダ６１の保持部６１１の背壁６１１ｃに当接する。これにより、非接触ＩＣカードリーダ８がホルダ６１に対して保定され、非接触ＩＣカードリーダ８の背面８２とホルダ６１の保持部６１１の背壁６１１ｃとの間に、約１０ｍｍないしそれ以上の大きさの空隙が形成される。
【００４１】
しかして、ホルダ６１の掛止部６１２を什器本体０における天板４とステー３２との間隙に挿入し、その掛止部６１２の下縁６１２ａをステー３２に上方から係合せしめることで、ホルダ６１並びにこれに保持させた非接触ＩＣカードリーダ８及びスペーサ６２を什器本体０に支持させることができる。なお、このとき、必要であれば、一旦天板４を天板受け３３から取り外し、ホルダ６１の掛止部６１２をステー３２に掛けた後、再び天板４を天板受け３３に載置して当該天板４を天板受け３３に締結するようにしても構わない。
【００４２】
リーダ支持体６を介して什器本体０に支持された非接触ＩＣカードリーダ８は、天板４の側縁の近傍かつ天板４よりも少しく下方に偏倚した高さに位置し、その外面８１を直立または略直立させて什器本体０の外側方に向けた姿勢をとる。
【００４３】
本実施形態のナースカートの使用者、例えば看護師や介護士等は、ハンドル５を把持してナースカートを運搬しつつ、病院または診療所内の各所に移動しながら業務を遂行する。そして、病院または診療所内に滞在する患者の身体に関するデータを機器９２を使用して取得するとともに、図１に示しているように、その使用機器９２を非接触ＩＣカードリーダ８の外面８１にかざすように近接ないし当接させる。このような操作を通じて、機器９２を使用して取得した患者の身体に関する情報を簡便に情報処理端末９１に入力することができる。
【００４４】
本実施形態では、キャスタ１１が取り付けられて移動が可能であり天板４が設けられた什器本体０と、前記什器本体０に支持されるとともに非接触ＩＣカードリーダ８を保持しこれを外方に向けた姿勢で前記天板４の外縁の近傍に位置づけるリーダ支持体６とを具備する搬送用什器を構成した。
【００４５】
本実施形態によれば、物品を運搬しつつ、他の機器９２やＩＣカード等から情報を取得する作業を簡便に行うことができる。特に、本搬送用什器を病院または診療所内でナースカートとして使用する場合において、患者の身体に関するデータを取得する測定機器９２を、天板４の外縁の近傍に配置された非接触ＩＣカードリーダ８にかざす操作だけで、当該患者の身体に関するデータを情報処理端末９１に入力することが可能となる。データの情報処理端末９１への手入力の作業が不要となることから、業務遂行に要する時間が短縮するだけでなく、データの誤入力や未入力のおそれを著しく低減することにもなる。
【００４６】
図３及び図５に示すように、前記リーダ支持体６により保持された非接触ＩＣカードリーダ８の外面８１は、前記什器本体０の外方端即ちサイドフック３４の外側端と略面一となり、またはサイドフック３４の外方端よりも内方に位置する。非接触ＩＣカードリーダ８が什器本体０から大きく外方に飛び出さないため、これが他の物品や什器、機器等と衝突することが回避される。
【００４７】
非接触ＩＣカードリーダ８は天板４の下方にあり、その外面８１を起立させた姿勢をとるので、非接触ＩＣカードリーダ８に大きな荷重が加わる機会に乏しい。従って、リーダ支持体６を頑強な構造物とする必要から解放され、リーダ支持体６を什器本体０に剛結せずともよくなる。
【００４８】
前記リーダ支持体６は、非接触ＩＣカードリーダ８を保持するための保持部６１１と、前記什器本体０における天板４と天板４の外縁に沿って伸びるステー３２との間隙に挿入されてステー３２に掛け止められる掛止部６１２とを備えており、什器本体０に対してリーダ支持体６及び非接触カードリーダ８を容易に脱着することが可能である。
【００４９】
加えて、前記リーダ支持体６が、非接触ＩＣカードリーダ８の背面８２と保持部６１１との間に介在して両者の間に所定寸法の距離を形成するスペーサ６２を備えている。これにより、非接触ＩＣカードリーダ８の背面８２が、金属製の部材であるホルダ６１の保持部６１１の背壁６１１ｃや什器本体０のステー３２から引き離され、非接触ＩＣカードリーダ８から放射される電磁波の乱反射に起因したデータ読み取りエラーが低減または防止される。
【００５０】
なお、本発明は以上に詳述した実施形態に限られるものではない。上記実施形態では、非接触ＩＣカードリーダ８を、使用者から見て天板４の右方の側縁の近傍に、その外面８１を右側方に向けた姿勢で配置していた。だが、非接触ＩＣカードリーダ８を、使用者から見て天板４の左方の側縁の近傍に、その外面８１を左側方に向けた姿勢で配置してもよいことは言うまでもない。
【００５１】
さらには、非接触ＩＣカードリーダ８を、天板４の前縁の近傍に、その外面８１を手前方に向けた姿勢で配置してもよく、あるいは、天板４の後縁の近傍に、その外面８１を後方に向けた姿勢で配置してもよい。
【００５２】
上記実施形態では、リーダ支持体６のホルダ６１が金属製であったが、これを非金属製、例えば合成樹脂製の部材として作製することも考えられる。また、ホルダ６１とスペーサ６２とを一体に成形することを妨げない。
【００５３】
本発明の適用対象は、ナースカートには限定されない。物品を運搬しつつ他の機器９２やＩＣカードからデータを読み取る作業に供与される搬送用什器一般に、本発明を適用することが許される。
【００５４】
その他、各部の具体的構成は、本発明の趣旨を逸脱しない範囲で種々変形が可能である。
【符号の説明】
【００５５】
０…什器本体
１１…キャスタ
３２…ステー
３４…什器本体の外方端（フック）
４…天板
６…リーダ支持体
６１１…保持部
６１２…掛止部
６２…スペーサ
８…非接触ＩＣカードリーダ
９２…患者の身体に関するデータを取得する機器
【図１】
2018007722.tif 000003
【図２】
2018007722.tif 000004
【図３】
2018007722.tif 000005
【図４】
2018007722.tif 000006
【図５】
2018007722.tif 000007